(57)【要約】【課題】脚部用カバーと床面の摩擦は小さく、脚立自体が床面に対して滑りやすく、脚部用カバーの底面は、脚立と脚立に上る作業者の全体重がかかるため、底面部のみが擦り切れて、穴が空いてしまうこともあった。【解決手段】脚立等の脚部に嵌挿して使用する脚部用カバー１において、１枚以上の布等を重ねた側面シート２の端部同士縫合して筒状に構成し、該筒状の側面シート２の一端の縁部に帯状の折り返しシート５を縫合し、該折り返しシート５と側面シート２の間にリング状に結んだゴム糸等を内挿しながら、該折り返しシート５を側面シート２の内側に折り返して縫合し、該筒状の側面シート２の他端の縁部に略長方形の底面シート７を縫合し、底面シート７の内側と外側及び折り返しシート５内周に複数のゴム等の抑止部材８・９ａ・９ｂを点溶着した。【選択図】図１
2005188209.tif 000002
【特許請求の範囲】
【請求項１】
脚立等の脚部に嵌挿して使用する脚部用カバーにおいて、
側面シートの端辺同士を縫合して筒状に構成し、
該筒状に構成した側面シートの一端の縁部に帯状の折り返しシートを縫合し、
該折り返しシートを側面シートの内側に折り返して、該折り返しシートと側面シートの間に弾力性を有する輪を内挿して縫合して締付部を構成し、
該筒状の側面シートの他端に底面シートの外周を縫合し、
底面シートの内側と外側及び締付部の内側に抑止部材を溶着した、
ことを特徴とする脚部用カバー。
【発明の詳細な説明】
【技術分野】
【０００１】
本発明は、主に屋外で使用する脚立等を屋内で使用する際に、脚立等の脚部に嵌挿して床等の損傷を防止しつつ、合わせて前記脚立等が使用中に滑ることがないように、滑り止めの役割も果たす抜け防止付きの脚立等の脚部用カバーに関する。
【背景技術】
【０００２】
脚立や梯子は元来不安定なものであり、脚立を使用中に脚立の脚が滑ったりして、作業者が転落する等のおそれがあった。また、屋外で使用することが多く、使用後はいちいち脚部を洗浄せずに、屋外の倉庫や納屋に格納していることが多く、室内で用いる場合には脚部にこびり付いた土等を除去して、使用していた。このとき、脚部に付着した土等は、長い間付着したままであることが多く、容易に除去することが難しく、作業者の手を煩わせていた。
【０００３】
従来、椅子等の家具用品の脚部をカバーする脚部用カバーとして、例えば椅子等の脚部の先端部を被覆し得るように上部が開口された袋状の被覆部材と、この被覆部材の外側に縫着され且つ床面に当接される合成皮革製の台座シートとからなるものが提案されていた。
この脚部用カバーを使用する際には、被覆部材の開口部から椅子等の脚部の先端部を挿入して該先端部を被覆し、床面に台座シートを当接させるようにして椅子等を床面上に設置していた。
この、脚部用カバーを使用することにより、椅子等の脚部の先端が床面に接触しないので、椅子脚によって床面が傷つくのを防止することができた。
【０００４】
また、布製や毛糸等で作られたものが多く、滑りやすかったため、椅子等を持ち上げたとき等に、容易に脚部用カバーが抜けてしまい、その都度椅子等の脚部に脚部用カバーを嵌挿しなくてはならないという問題点も解消された。例えば、椅子等の家具用品の椅子脚大に適合した袋状を形成した毛糸等の保護部材本体と、且つ、該保護部材本体の内面底部と内周部に、複数のゴム等の抑止部材を点溶着したものなどが挙げられる（例えば、特許文献１参照。）。
【特許文献１】登録実用新案第３０９０４５６号公報
【発明の開示】
【発明が解決しようとする課題】
【０００５】
しかしながら、前記した従来の技術では、以下のような課題が存在した。
すなわち、前記した脚部用カバーでは、椅子等の脚部から脚部用カバーが抜けにくくなっているが、脚部用カバーと床面の摩擦は小さく、椅子自体が床面に対して滑りやすかった。椅子や机の場合は、横滑りを起こすことが便利である場合もあるが、脚立や水屋等の重たい家具が滑ると大きな衝撃により損傷が生じることがあった。
また、脚部用カバーの底面には、脚立と脚立に上る作業者の全体重がかかるため、底面部のみが擦り切れて、穴が空いてしまうこともあった。このため、屋外で使用していた脚立を室内で使用した場合に、予め脚立の脚部先端に付着していた土等が作業中にこすれたりして、脚部用カバーの底面部に空いた穴から、室内の床面に落ちてしまうこともあった。
【課題を解決するための手段】
【０００６】
本発明の解決しようとする課題は以上の如くであり、次にこの課題を解決するための手段を説明する。
【０００７】
即ち、請求項１においては、脚立等の脚部に嵌挿して使用する脚部用カバーにおいて、
側面シートの端辺同士を縫合して筒状に構成し、
該筒状に構成した側面シートの一端の縁部に帯状の折り返しシートを縫合し、
該折り返しシートを側面シートの内側に折り返して、該折り返しシートと側面シートの間に弾力性を有する輪を内挿して縫合して締付部を構成し、
該筒状の側面シートの他端に底面シートの外周を縫合し、
底面シートの内側と外側及び締付部の内側に抑止部材を溶着したものである。
【発明の効果】
【０００８】
本発明の効果として、以下に示すような効果を奏する。
【０００９】
請求項１においては、脚立等の脚部から脚部用カバーが抜けにくくなっているだけでなく、脚部用カバーと床面の摩擦は大きくなり、脚立自体が床面に対して滑り難く出来る。そのため、脚立等が滑って作業者が転落する等の危険を軽減させることが可能となった。
また、脚部用カバーの底面シートを側面シートと違う素材で構成したりして、底面シートに脚立と脚立に上る作業者の全体重がかかっても、底面シートのみが擦り切れて、穴が空いてしまうことを防止できる。このため、屋外で使用していた脚立を室内で使用した場合に、予め脚立の脚部先端に付着していた土等が作業中にこすれたりして、脚部用カバーの底面部に空いた穴から、室内の床面に落ちてしまうことを防ぐことができる。
【発明を実施するための最良の形態】
【００１０】
次に、発明の実施の形態を説明する。
図１は本発明の実施例に係る脚立等の脚部に嵌挿する脚部用カバーの正面図、図２は同じく側面図、図３は同じく平面図、図４は同じく底面図、図５は側面シート２及び底面シート７の垂直断面図である。
【００１１】
図１乃至図５を参照しながら、本発明に係る脚部用カバー１について説明する。
脚部用カバー１は、有底の筒状に構成して巾着状の袋に構成されており、大きく２つの部位に分けられる。すなわち、脚部用カバー１は上部の側面シート２と下部の底面シート７とで構成されている。
【００１２】
まず、上部の側面シート２について説明する。
上部側面シート２は外側の布シート３と内側の合成樹脂シート４とを重ねて構成されているものである。外側の布シート３は毛糸や布等から作られ、織ったりプリント等を施すことにより模様や絵等を表現することができ、外見を容易に変更したり、外見の種類を容易に増やすことができる。
【００１３】
側面シート２は、前記布シート３と前記合成樹脂シート４を重ねて縫合し、上端の縁部となる上部辺には、帯状の折り返しシート５を縫合し、帯状の折り返しシート５と側面シート２の端辺となる端部２ａ・２ｂは縫合して、筒状に形成している。
端部２ａ・２ｂを縫合した後、筒上の側面シート２の上端部にあたる折り返しシート５を側面シート２の内側に折り曲げて糸等６により縫合し、該折り返しシート５と側面シート２との間の空間に、即ち、折り曲げた谷側に、ゴム等の弾力性を有する部材で構成した輪１１を入れて折り返しシート５の下部と側面シート２を縫合し、締付部１２を構成する。そして、このゴム等で構成した輪１１の長さは、前記側面シート２（または底面シート７）の周囲よりも短く構成し、脚立等の脚部が本発明の脚部用カバー１に嵌挿されたときに、前記ゴム糸等の張力により、前記側面シート２の上端部の折り返しシート５が脚部を締め付ける構造となっている。なお、側面シート２の周囲の長さの異なる脚部用カバー１を用意しておくことで、脚の大きさに合った脚部用カバー１を取り付けることができる。
【００１４】
ここで、折り返しシート５の内周には、ゴムや合成樹脂等の弾力性を有し摩擦抵抗が大きい部材で構成した抑止部材８が溶着されている。この抑止部材８の配置は適宜間隔をあけて点溶着したり、帯状に溶着したり、格子状に溶着したり、縞状に溶着したりすることが可能であり、限定するものではない。即ち、締付部１２の内面に抑止部材８を多数配置するのである。こうして、脚部用カバー１を脚立等に取り付けたときには、脚部側面（外周面）と脚部用カバー１の折り返しシート５との間の摩擦係数を高めており、容易に該脚部から該脚部用カバー１が抜けてしまわないようにしている。このように、折り返しシート５には、ゴム等の抑止部材８を溶着するため、毛糸や布等ではなく、ゴムを溶着できる化学繊維を使用することが好ましい。
【００１５】
次に、本発明の脚部用カバー１の下部の底面シート７について説明する。
図５に示すように、底面シート７は、外周端部を前記側面シート２の端部と、端部同士を脚部用カバー１の内側に折り曲げて縫合するものであり、筒状の脚部用カバー１の底部を形成するものである。
底面シート７は、上面と下面、即ち脚部用カバー１の底部内面７ａと底部外面７ｂに、ゴムや合成樹脂等の弾力性を有し摩擦抵抗が大きい部材で構成した抑止部材９ａ・９ｂをそれぞれ溶着している。この抑止部材８の配置は適宜間隔をあけて点溶着したり、帯状に溶着したり、格子状に溶着したり、縞状に溶着したりすることが可能であり、限定するものではない。このため、底面シート７は、前記折り返しシート５と同じく、ゴム等が溶着できるよう、毛糸や布等ではなく、化学繊維で形成することが好ましい。
【００１６】
このように、底面シート７の底部内面７ａにゴム等の抑止部材９ａを溶着したため、脚立等の脚部底面と該底部内面７ａとの摩擦係数を高め、容易に脚立等の脚部が脚部用カバー１内で滑ったり、ずれたりすることがないようにしている。
また、底面シート７の底部外面７ｂにゴム等の抑止部材９ｂを溶着したため、脚立等の該底部外面７ｂと床面との摩擦係数を高め、容易に脚立等の脚部が嵌挿された脚部用カバー１が床面を滑ったりすることがないようにしている。
【００１７】
ここで、底部シート７は、前述のように、ゴム等の抑止部材９ａ・９ｂを溶着した化学繊維1枚の構成としても良いが、化学繊維２枚で構成して、該化学繊維の間にゴム等のプレートや綿等を詰めたシートにしても良い。このように、側面シート２と底面シート７を別々に構成してから縫合することにより、側面シート２をデザイン変更が容易な構成としたまま、底面シート７を1枚以上の積層構造とすることが可能となり、この結果脚部用カバーの底部の強度を増すことが可能となる。
これによって、底面シートに脚立と脚立に上る作業者の全体重がかかっても、底面部のみが擦り切れて、穴が空いてしまうことを防止できる。このため、屋外で使用していた脚立を室内で使用した場合に、予め脚立の脚部先端に付着していた土等がこすれたりして、脚部用カバーの底面部に空いた穴から、室内の床面に落ちてしまうことを防ぐことができる。
【００１８】
また、脚部用カバー１のサイズは、標準的な脚立大に合わせて、平面視において、底面シートが縦８ｃｍ、横７ｃｍ程度、側面シートの上縁部が縦４ｃｍ、横３ｃｍ程度が好適である。そして、本発明の脚部布カバーは、脚立に限らず椅子等の家具等の脚部に使用するものであっても良い。脚立の場合は、脚が垂直ではなく斜めの状態で設置されることが多いため、前記のように、平面視において縦と横の大きさが異なる構成としているが、椅子等の場合は、平面視正方形などにした方が、脚部用カバーと椅子等の脚部がきっちり嵌挿される。
【００１９】
以上のように、脚立等の脚部に嵌挿して使用する脚部用カバーにおいて、
側面シートの端辺同士を縫合して筒状に構成し、
該筒状に構成した側面シートの一端の縁部に帯状の折り返しシートを縫合し、
該折り返しシートを側面シートの内側に折り返して、該折り返しシートと側面シートの間に弾力性を有する輪を内挿して縫合して締付部を構成し、
該筒状の側面シートの他端に底面シートの外周を縫合し、
底面シートの内側と外側及び締付部の内側に抑止部材を溶着したため、
脚立等の脚部から脚部用カバー１が抜けにくくなっているだけでなく、脚部用カバー１と床面の摩擦は大きくなり、脚立自体が床面に対して滑り難く出来る。そのため、脚立等が滑って作業者が転落する等の危険を軽減させることが可能となった。
また、脚部用カバー１の底面シート７を側面シート２と違う素材で構成したりして、底面シート７に脚立と脚立に上る作業者の全体重がかかっても、底面シート７のみが擦り切れて、穴が空いてしまうことを防止できる。このため、屋外で使用していた脚立を室内で使用した場合に、予め脚立の脚部先端に付着していた土等が作業中にこすれたりして、脚部用カバー１の底面部に空いた穴から、室内の床面に落ちてしまうことを防ぐことができる。
【図面の簡単な説明】
【００２０】
【図１】本発明の一実施例に係る脚部用カバーの全体的な構成を示した正面図。
【図２】同じく側面図。
【図３】同じく平面図。
【図４】同じく底面図。
【図５】側面シート及び底面シートの垂直断面図。
【符号の説明】
【００２１】
１    脚部用カバー
２    側面シート
５    折り返しシート
７    底面シート
８    抑止部材
９ａ・９ｂ    抑止部材
【図１】
2005188209.tif 000003
【図２】
2005188209.tif 000004
【図３】
2005188209.tif 000005
【図４】
2005188209.tif 000006
【図５】
2005188209.tif 000007